(57)【要約】      （修正有）【課題】利用者に注意を喚起すると共に、紛失しにくいメモ用紙を提供する。【解決手段】メモ用紙は、シート状の用紙本体部２を備え、用紙本体部は、メモを記入するためのメモスペース部と、装飾用デザインが施されたデザイン部３とを備え、デザイン部の少なくとも一部が外側に位置するように、用紙本体部が曲げられ結ばれた状態で保持され、結ばれた状態において、結び目を構成する結び目部５を備える。メモスペース部は、用紙本体部の一方の主面に設けられ、用紙本体部は、平面に展開された状態において、長尺状に形成され、長手方向に延びる中心線に沿って、メモスペース部を内側にして２つ折りされ、結ばれた状態で保持されるのが好ましい。また、用紙本体部に、切り込み１５ａ，１５ｂが形成され、結び目部を構成する用紙本体部の縁部５ａが切り込みに挿入されるように構成されていてもよい。【選択図】図１
0003192850.tif 000002
【実用新案登録請求の範囲】
【請求項１】
シート状の用紙本体部を備え、
前記用紙本体部は、メモを記入するためのメモスペース部と、装飾用デザインが施されたデザイン部とを備え、
前記デザイン部の少なくとも一部が外側に位置するように、前記用紙本体部が結ばれた状態で保持され、
前記用紙本体部は、前記結ばれた状態において、結び目を構成する結び目部を備えるメモ用紙。
【請求項２】
前記用紙本体部は、前記結び目部から外側に突出する少なくとも１つの端部を備え、
前記端部には、前記結び目部を構成する前記用紙本体部の縁部に係止する係止部が設けられている請求項１に記載のメモ用紙。
【請求項３】
前記用紙本体部が、前記結ばれた状態で設置面に対して自立して保持されるように、前記用紙本体部を支持する支持部が、前記結び目部に設けられている請求項１又は請求項２に記載のメモ用紙。
【請求項４】
前記メモスペース部は、前記用紙本体部の一方の主面に設けられ、
前記用紙本体部は、平面に展開された状態において、長尺状に形成され、長手方向に延びる中心線に沿って、前記メモスペース部を内側にして２つ折りされるものであり、
前記２つ折りされた前記用紙本体部が結ばれた状態で保持される請求項１から請求項３のいずれか１項に記載のメモ用紙。
【請求項５】
前記用紙本体部は、平面に展開された状態において、長尺状に形成され、
前記用紙本体部には、切り込みが形成され、
前記用紙本体部が結ばれたときに、前記結び目部を構成する前記用紙本体部の縁部が前記切り込みに挿入されるように構成されている請求項１から請求項４のいずれか１項に記載のメモ用紙。
【請求項６】
前記切り込みは、複数個形成され、少なくとも１個の前記切り込みが、長手方向に延びる中心線の一方の側に形成されている請求項５に記載のメモ用紙。
【請求項７】
前記切り込みは、複数個形成され、少なくとも１個の前記切り込みが、長手方向に延びる中心線を横切って、該中心線に対して対称に形成されている請求項５又は請求項６に記載のメモ用紙。
【請求項８】
前記用紙本体部には、前記切り込みに挿入される前記縁部の位置を示す位置合わせ用マークが付されている請求項５から請求項７のいずれか１項に記載のメモ用紙。
【請求項９】
前記結ばれた状態における前記用紙本体部の形状が、動物、魚、若しくはその他の自然物又は人工物の形状を模したものである請求項１から請求項８のいずれか１項に記載のメモ用紙。
【請求項１０】
前記用紙本体部は、鳥の形状を模して前記結ばれた状態に保持されるものであり、
前記少なくとも１つの端部は、鳥の頭部の形状に形成された第１の端部と、鳥の尾の形状に形成された第２の端部であり、
前記結ばれた状態において、
鳥の翼の形状に切り出された前記用紙本体部の一部が、前記結び目部から外側へ開いて保持されると共に、前記第１の端部と前記第２の端部が、前記結び目部からそれぞれ突出している請求項２から請求項９のいずれか１項に記載のメモ用紙。
【請求項１１】
前記結ばれた状態において、
鳥の脚の形状に切り出された前記用紙本体部の一部が、前記結び目部から外側へ開いて保持される請求項１０に記載のメモ用紙。
【請求項１２】
シート状の用紙本体部を備え、
前記用紙本体部は、情報が表示されている表示部と、装飾用デザインが施されたデザイン部とを備え、
前記デザイン部の少なくとも一部が外側に位置するように、前記用紙本体部が結ばれた状態で保持され、
前記用紙本体部は、前記結ばれた状態において、結び目を構成する結び目部を備え、
前記結ばれた状態における前記用紙本体部の形状が、動物、魚、若しくはその他の自然物又は人工物の形状を模したものである用紙。
【考案の詳細な説明】
【技術分野】
【０００１】
本考案は、メモ用紙及びその他の用紙に関する。
【背景技術】
【０００２】
従来、文字，図形等の情報を記入又は印刷等するために種々の用紙が利用されている。このような用紙の一例として、長方形のシートが積層されて束にされ、当該シート一枚ずつが切り取り可能に構成されているメモ用紙が知られている（例えば、特許文献１参照。）。そして、利用者は、シートにメモとして文字，図形等を記入し、当該シートを切り取って所定の場所に置くなどして、メモの内容を忘れないようにする。
【先行技術文献】
【特許文献】
【０００３】
【特許文献１】特開２００４−３０６５２０号公報
【考案の概要】
【考案が解決しようとする課題】
【０００４】
しかしながら、このようなメモ用紙では、あまりにも事務的で利用者がシート自体に注意を向け難くなってしまうだけでなく、メモが記入されたシートが例えば書類などに埋もれてしまって当該シートを見ることができなくなってしまうという問題がある。
また、メモを記入するシートではなく、予め特定の情報が印刷されているシートの場合も同様である。一般的なシート形状は他の紙類と紛れやすく、紛失しやすい。
【０００５】
本考案は、このような問題を解決するためになされたもので、利用者に注意を喚起すると共に、紛失しにくくすることができるメモ用紙及び用紙を提供することを目的とする。
【課題を解決するための手段】
【０００６】
上記課題を解決するために、本考案は以下の手段を提供する。本考案に係るメモ用紙は、シート状の用紙本体部を備え、用紙本体部は、メモを記入するためのメモスペース部と、装飾用デザインが施されたデザイン部とを備え、デザイン部の少なくとも一部が外側に位置するように、用紙本体部が結ばれた状態で保持され、用紙本体部は、結ばれた状態において、結び目を構成する結び目部を備える。
【０００７】
本考案によれば、用紙本体部は、メモを記入するためのメモスペース部と、装飾用デザインが施されたデザイン部とを備え、用紙本体部が結ばれた状態で保持される。これにより、メモ用紙という事務的なグッズに対して遊び心やデザイン性を付加することができるだけでなく、用紙本体部が書類等によって埋もれてしまうことを防止することができる。
したがって、本考案によれば、利用者に注意を喚起すると共に、紛失しにくくすることができるメモ用紙を提供することができる。
【０００８】
一例として、用紙本体部は、結び目部から外側に突出する少なくとも１つの端部を備え、端部には、結び目部を構成する用紙本体部の縁部に係止する係止部が設けられている。
これにより、端部が結び目部から突出した状態をより確実に保持することができ、用紙本体部を結ばれた状態に保持する力を高めることができる。
【０００９】
例えば、用紙本体部が、結ばれた状態で設置面に対して自立して保持されるように、用紙本体部を支持する支持部が、結び目部に設けられていてもよい。
これにより、結ばれた状態の用紙本体部を自立して保持することができる。
【００１０】
一例として、メモスペース部は、用紙本体部の一方の主面に設けられ、用紙本体部は、平面に展開された状態において、長尺状に形成され、長手方向に延びる中心線に沿って、メモスペース部を内側にして２つ折りされるものであり、２つ折りされた用紙本体部が結ばれた状態で保持される。
これにより、メモスペース部は、外側から見えなくなるため、メモの内容を第３者に見られてしまうことを防止することができる。
【００１１】
例えば、用紙本体部は、平面に展開された状態において、長尺状に形成され、用紙本体部には、切り込みが形成され、用紙本体部が結ばれたときに、結び目部を構成する用紙本体部の縁部が切り込みに挿入されるように構成されていてもよい。
これにより、用紙本体部が結ばれた状態において、結び目部と用紙本体部の他の部分との位置関係を容易に固定することができる。したがって、用紙本体部を結ばれた状態に保持する力を高めることができる。
【００１２】
切り込みは、複数個形成され、少なくとも１個の切り込みが、長手方向に延びる中心線の一方の側に形成されていてもよい。
これにより、用紙本体部を中心線に沿って２つ折りにして結ぶ場合に、切り込みが形成されている面の面方向又は略面方向に、結び目部を構成する用紙本体部の縁部を挿入することができる。したがって、用紙本体部を結ばれた状態に保持する力を高めると共に、結び目部から切り込みが形成されている面に連続したデザインを施すことができる。よって、用紙本体部が結ばれたときに、より利用者の注意を喚起する形状を形成することができる。
【００１３】
切り込みは、複数個形成され、少なくとも１個の切り込みが、長手方向に延びる中心線を横切って、該中心線に対して対称に形成されていてもよい。
これにより、用紙本体部を中心線に沿って２つ折りにして結ぶ場合に、用紙本体部を貫通する切り込みが、折り曲げ部分の外縁から内側に向かって形成されることになる。したがって、結び目部を構成する用紙本体部の縁部を切り込みに挿入すると、挿入した縁部が、２つ折りにされた用紙本体部の両表面に貫通して保持される。そのため、用紙本体部を結ばれた状態に保持する力を高めると共に、結ばれた状態において、より立体的な造形性を有することができる。よって、用紙本体部が結ばれたときに、より利用者の注意を喚起する形状を形成することができる。
【００１４】
一例として、用紙本体部には、切り込みに挿入される縁部の位置を示す位置合わせ用マークが付されている。
これにより、用紙本体部を結ぶ際の位置合わせが容易になる。
【００１５】
例えば、結ばれた状態における用紙本体部の形状が、動物、魚、若しくはその他の自然物又は人工物の形状を模したものであってもよい。
これにより、用紙本体部が結ばれた状態において、その形状が極めて特徴的で目立つ形状となるため、利用者の注意をより喚起することができる。
【００１６】
用紙本体部は、鳥の形状を模して結ばれた状態に保持されるものであり、少なくとも１つの端部は、鳥の頭部の形状に形成された第１の端部と、鳥の尾の形状に形成された第２の端部であり、結ばれた状態において、鳥の翼の形状に切り出された用紙本体部の一部が、結び目部から外側へ開いて保持されると共に、第１の端部と第２の端部が、結び目部からそれぞれ突出していてもよい。
これにより、用紙本体が結ばれた状態において、立体感のある優れたデザイン性を有し、利用者の注意をより喚起することができる。
【００１７】
結ばれた状態において、鳥の脚の形状に切り出された用紙本体部の一部が、結び目部から外側へ開いて保持されていてもよい。
これにより、用紙本体部が結ばれた状態において、デザイン性をより高めることができると共に、結ばれた状態の用紙本体部を自立させる際に、鳥の脚の形状に切り出された用紙本体部の一部によって、メモ用紙を支持することができる。
【００１８】
また、本考案の別の態様によれば、本考案に係る用紙は、例えば、シート状の用紙本体部を備え、用紙本体部は、情報が表示されている表示部と、装飾用デザインが施されたデザイン部とを備え、デザイン部の少なくとも一部が外側に位置するように、用紙本体部が結ばれた状態で保持され、用紙本体部は、結ばれた状態において、結び目を構成する結び目部を備え、結ばれた状態における用紙本体部の形状が、動物、魚、若しくはその他の自然物又は人工物の形状を模したものである。
【００１９】
これにより、用紙本体部が結ばれた状態で保持されるため、用紙本体部が書類等によって埋もれてしまうことを防止することができる。したがって、利用者に注意を喚起すると共に、紛失しにくくすることができる用紙を提供することができる。また、用紙本体部が結ばれた状態において、その形状が極めて特徴的で目立つ形状となるため、利用者の注意をより喚起することができる。
【考案の効果】
【００２０】
利用者に注意を喚起すると共に、紛失しにくくすることができるメモ用紙及び用紙を提供することができる。
【図面の簡単な説明】
【００２１】
【図１】第１の実施形態に係るメモ用紙の正面図である。
【図２】第１の実施形態に係るメモ用紙の背面図である。
【図３】図１に示すメモ用紙を展開した状態を示す展開図である。（ａ）図は、表面を示す展開図であり、（ｂ）図は、裏面を示す展開図である。
【図４】第１の実施形態に係るメモ用紙の用紙本体部の結び方を示す説明図である。
【図５】第１の実施形態に係るメモ用紙の用紙本体部の結び方を示す説明図である。
【図６】第１の実施形態に係るメモ用紙の用紙本体部の結び方を示す説明図である。
【図７】図２に示すメモ用紙の底面図である。
【図８】第２の実施形態に係るメモ用紙の正面図である。
【図９】第３の実施形態に係るメモ用紙の正面図である。
【図１０】第４の実施形態に係るメモ用紙の背面図である。
【考案を実施するための形態】
【００２２】
以下、本考案の実施の形態を添付の図により説明する。なお、「上」、「下」、「左」、「右」、「表」、「裏」、「外」、「内」、「正面」、「背面」等の方向を示す語は、図面の状態に基づく便宜上のものであり、実際の方向はこれに限定されるものではない。
【００２３】
［第１の実施形態］
図１及び図２に第１の実施形態に係るメモ用紙１を示す。メモ用紙１は、一例として、伝言用一筆箋として用いることができる。メモ用紙１は、シート状の用紙本体部２を備えている。図１及び図２は、用紙本体部２が結ばれた状態を示している。図１は、用紙本体部２が結ばれた状態におけるメモ用紙１の正面図であり、図２は、背面図である。なお、符号Ｈは、高さ方向を示し、符号Ｘは、メモ用紙１の設置面Ｓの面方向を示すものである。面方向Ｘは、ほぼ水平方向である。
【００２４】
本実施形態では、用紙本体部２が結ばれた状態において、用紙本体部２の形状は、鳥の形状を模したものである。用紙本体部２には、装飾用デザインが施されたデザイン部３が設けられている。図１及び図２において、鳥の形状を構成している用紙本体部２の外側表面部分は、デザイン部３である。
【００２５】
用紙本体部２は、結ばれた状態において、結び目部５を備えている。結び目部５は、用紙本体部２を結ぶことによって形成された結び目の部分を示している。結び目部５は、鳥の胴体部分を形作っている。結び目部５からは、第１の端部６と第２の端部７が、それぞれ外側に突出している。第１の端部６は、鳥の頭部の形状に形成され、第２の端部７は、鳥の尾の形状に形成されている。
【００２６】
メモ用紙１には、用紙本体部２を結ばれた状態に保持する複数の係止部８，９，１０が設けられている。第１の端部６には、第１の係止部８が形成されている。第１の係止部８は、頭部係止用切り込み１５ａ，１５ｂによって構成されている。第１の係止部８は、結び目部５を構成する用紙本体部２の縁部５ａに、第１の端部６を係止するものである。
【００２７】
図２に示すように、背面側の鳥の胴体部分には、第２の係止部９が設けられている。第２の係止部９は、胴部係止用切り込み１６によって構成されている。第２の係止部９は、結び目部５において、切り出された用紙本体部２の一部を、結び目部５を構成する用紙本体部２の縁部５ａに係止するものである。
【００２８】
第２の端部７には、第３の係止部１０が形成されている。第３の係止部１０は、尾部係止用切り込み１４によって構成されている。第３の係止部１０は、結び目部５を構成する用紙本体部２の縁部５ａに、第２の端部７を係止するものである。
【００２９】
図１に示すように、結び目部５からは、用紙本体部２の一部が鳥の脚の形状に切り出されることによって形成された脚部１１が突出している。メモ用紙１は、用紙本体部２が結ばれた状態において、設置面Ｓに対して自立して保持されている。底面側に位置する結び目部５の下縁５ｂと、脚部１１の下縁１１ａが設置面Ｓに接触して、結ばれた状態のメモ用紙本体部２を支持している。本実施形態では、結び目部５の下縁５ｂと、脚部１１によって支持部が構成されている。
【００３０】
次に、メモ用紙１の展開した状態を図３に示す。図３に示すシート状の用紙本体部２を結ぶことによって、図１及び図２に示す立体的な形状が構成される。図３において、用紙本体部２の表面２ａを（ａ）図に、裏面２ｂを（ｂ）図に図示している。シート状の用紙本体部２は、長尺状に形成されている。なお、符号Ｌは、展開した用紙本体部２の長手方向を示し、符号Ｗは、幅方向を示す。
【００３１】
用紙本体部２の表面２ａには全体に彩色が施されていて、複数個所に鳥の各パーツを示す模様が描かれている。本実施形態では、用紙本体部２の表面２ａ全体がデザイン部３である。用紙本体部２の形状は、長手方向Ｌに延びる中心線Ｃに対して略線対称に形成されている。
【００３２】
説明のために、表面２ａにおいて、中心線Ｃの右側を右展開面２ｃと呼び、中心線Ｃの左側を左展開面２ｄと呼ぶ。第１の端部６と第２の端部７は、用紙本体部２の長手方向Ｌの端部である。第１の端部６の輪郭６ａは、鳥の頭部の輪郭を形作っている。また、鳥の眼の模様６ｂとクチバシの模様６ｃが、中心線Ｃに対して対称の位置にそれぞれ描かれている。
【００３３】
第２の端部７の輪郭７ａは、鳥の尾の輪郭を形作っている。また、第２の端部７には、鳥の尾の模様７ｂが描かれている。長手方向Ｌに延びる中心線Ｃの一方の側（図３では、右展開面２ｃ）には、鳥の翼が３カ所に表現されている。第１の翼１２ａは、第１の端部６付近に配置されている。第２の翼１２ｂは、長手方向の中心付近に、第３の翼１２ｃは、第２の端部７付近にそれぞれ配置されている。
【００３４】
用紙本体部２には、複数の切り込み１４，１５ａ，１５ｂ，１６，１８が形成されている。切り込み１４，１５ａ，１５ｂ，１６，１８は、用紙本体部２の表面２ａから裏面２ｂに貫通して形成されている。用紙本体部２を結ぶときに、結び目部５を構成する用紙本体部２の縁部５ａが挿入される切り込みとして、尾部係止用切り込み１４と、頭部係止用切り込み１５ａ，１５ｂと、胴部係止用切り込み１６が設けられている。
【００３５】
尾部係止用切り込み１４は、第２の端部７付近に形成されている。尾部係止用切り込み１４は、第３の係止部１０を構成している。尾部係止用切り込み１４は、中心線Ｃ上に設けられている。尾部係止用切り込み１４は、始端１４ａから終端１４ｂまで連続し、中心線Ｃを横切って、中心線Ｃに対して対称に形成されている。尾部係止用切り込み１４は、右展開面２ｃ及び左展開面２ｄにおいて、それぞれ、第１の端部６側から第２の端部７側に向かうにつれて中心線Ｃに近づき、中心線Ｃ上で連続している。
【００３６】
第１の端部６付近には、頭部係止用切り込み１５ａ，１５ｂが形成されている。頭部係止用切り込み１５ａ，１５ｂは、第１の係止部８を構成している。頭部係止用切り込み１５ａ，１５ｂは、用紙本体部２の一部を鳥の翼の形状に切り出すものである。第１の翼１２ａの基端側の輪郭は、頭部係止用切り込み１５ａ，１５ｂによって形成されている。第１の翼１２ａの先端１３は、外方に突出している。
【００３７】
頭部係止用切り込み１５ａ，１５ｂは、中心線Ｃの一方の側（図３では、右展開面２ｃ）に形成されている。頭部係止用切り込み１５ａ，１５ｂは、用紙本体部２の外周縁１７から内側に向かって延びていて、中心線Ｃを越えることなく右展開面２ｃ内で終端している。第１の翼１２ａの腹側基端の輪郭を形成する頭部係止用切り込み１５ａと、第１の翼１２ａの背側基端の輪郭を形成する頭部係止用切り込み１５ｂは、それぞれ個別に形成され、頭部係止用切り込み１５ａの終端１９ａと、頭部係止用切り込み１５ｂの終端１９ｂは、第１の端部６に位置している。
【００３８】
第３の翼１２ｃには、胴部係止用切り込み１６が形成されている。胴部係止用切り込み１６は、用紙本体部２の一部を切り出して、第３の翼１２ｃの背側の輪郭を形成する。胴部係止用切り込み１６は、頭部係止用切り込み１５ａ，１５ｂと同様に、中心線Ｃの一方の側（図３では、右展開面２ｃ）に形成されている。胴部係止用切り込み１６は、用紙本体部２の外周縁１７から内側に向かって延びていて、中心線Ｃの手前に位置する終端２０において終端している。胴部係止用切り込み１６と用紙本体部２の外周縁１７の交点に、第３の翼１２ｃの先端２１が形成されている。
【００３９】
なお、第２の翼１２ｂには、切り込みは形成されていない。第１の翼１２ａ，第２の翼１２ｂ，第３の翼１２ｃには、それぞれ、翼の模様が描かれている。
【００４０】
また、第１の翼１２ａと第２の翼１２ｂとの間に、脚部切り出し用切り込み１８が形成されている。脚部切り出し用切り込み１８は、脚部１１の輪郭形状を形成している。脚部切り出し用切り込み１８は、頭部係止用切り込み１５ａ，１５ｂ及び胴部係止用切り込み１６と同様に、中心線Ｃの一方の側（図３では、右展開面２ｃ）に形成されている。脚部切り出し用切り込み１８は、用紙本体部２の外周縁１７と連続していない。脚部係止用切り込み１８の始端２２ａと終端２２ｂは、右展開面２ｃに配置され、脚部１１の基端を構成している。脚部１１の先端部１１ｂは、始端２２ａ及び終端２２ｂよりも中心線Ｃに近い位置にある。
【００４１】
模様で表現された第２の翼１２ｂの翼の基端は、中心線Ｃ上にある。用紙本体部２が結ばれたときに、第２の翼１２ｂには、第１の翼１２ａが重ねられることになる。したがって、第１の翼１２ａと第２の翼１２ｂを位置合わせするための位置合わせマーク２３ａ，２３ｂが、中心線Ｃ上において、第２の翼１２ｂの翼の基端に形成されている。位置合わせマーク２３ａ，２３ｂは、用紙本体部２が結ばれたときに、第１の翼１２ａの終端１９ａ，１９ｂとそれぞれ対応する位置に付されている。本実施形態において、位置合わせマーク２３ａ，２３ｂは、点をマークとして印刷したものである。
【００４２】
用紙本体部２の裏面２ｂには、メモスペース部２４が設けられている。本実施形態では、用紙本体部２の裏面２ｂ全体がメモスペース部２４である。メモスペース部２４は、無地である。メモスペース部２４には、文字や図形等を記入することができる。
【００４３】
次に、用紙本体部２の結び方を説明する。まず、図３に示す用紙本体部２を中心線Ｃに沿って２つ折りにする。このとき、メモスペース部２４（用紙本体部２の裏面２ｂ）が内側に、デザイン部３（用紙本体部２の表面２ａ）が外側にくるように、用紙本体部２を折る。２つ折りにした用紙本体部２の結び方を図４から図６に示す。
【００４４】
図４に示すように、第１の端部６の右展開面２ｃが正面を向くように、２つ折りにした用紙本体部２を保持し、第２の端部７を背面方向に移動させる。これにより、用紙本体部２が脚部１１の近くで背面側に曲がる。用紙本体部２が曲げられたことによって、脚部切り出し用切り込み１８によって切り出された脚部１１が、背面側に移動する用紙本体部２から自然に離れて、外側に突出する。
【００４５】
用紙本体部２には、２つ折りしたことによって、中心線Ｃに沿って縁部５ａが形成されている。第１の係止部８が縁部５ａに係止するように、背面側に移動させた第２の端部７を回転方向Ｒ１に回転させて、第１の翼１２ａの下にくぐらせる。前述のように、第１の翼１２ａは、頭部係止用切り込み１５ａ，１５ｂによって切り出されている。したがって、縁部５ａを頭部係止用切り込み１５ａ，１５ｂの終端１９ａ，１９ｂまで挿入することができる。縁部５ａは、頭部係止用切り込み１５ａ，１５ｂが形成されている面の面方向又は略面方向に挿入される。
【００４６】
このとき、縁部５ａに形成された位置合わせマーク２３ａ，２３ｂと終端１９ａ，１９ｂの位置を合わせる。位置合わせマーク２３ａが終端１９ａと一致し、位置合わせマーク２３ｂが終端１９ｂと一致する位置で、用紙本体部２を保持する。これにより、第１の翼１２ａと第２の翼１２ｂが位置合わせされ、第２の翼１２ｂの上に第１の翼１２ａが重ねて配置されることになる。
【００４７】
第１の翼１２ａと第２の翼１２ｂが位置合わせされた状態を図５に示す。縁部５ａが頭部係止用切り込み１５ａ，１５ｂに挿入されたことによって、頭部係止用切り込み１５ａ，１５ｂによって切り出された第１の翼１２ａが結び目部５から外側に開く。挿入された縁部５ａは、第１の端部６の面方向又は略面方向に沿って延びていて、第１の端部６の一方の主面（右展開面２ｃ）から縁部５ａに連続したデザインが施されている。本実施形態では、第１の端部６の一方の主面（右展開面２ｃ）から結び目部５にかけて、鳥の頭部から胸部が連続してデザインされている。
【００４８】
次に、第２の端部７を背面側に向かって回転方向Ｒ２に回転させる。このときの背面側の状態を図６に示す。前述のように、第２の端部７を背面側から回転方向Ｒ１に回転させて、正面側に移動させたことによって、背面側では、用紙本体部２が輪になっている。この輪によって貫通孔２６が形成されている。貫通孔２６の頭部側開口２７から尾部側開口２８に向かって、第２の端部７を貫通孔２６に挿入する。このとき、用紙本体部２が曲げられることによって、胴部係止用切り込み１６によって切り出された第３の翼１２ｃが外側へ開く。
【００４９】
第２の端部７を尾部側開口２８から引き出した後に、尾部係止用切り込み１４に、尾部側開口２８側の縁部５ａを挿入する。これによって、図２に示すように、第３の係止部１０を介して、第２の端部７が結び目部５に係止することになる。
【００５０】
前述のように、尾部係止用切り込み１４は、中心線Ｃに対して対称に形成されているため、中心線Ｃに沿って２つ折りにした状態において、尾部係止用切り込み１４は、右展開面２ｃ及び左展開面２ｄに貫通し、折り曲げ部分の外縁３２（図４及び図５）から内側に向かって延びている。結び目部５を構成する用紙本体部２の縁部５ａを尾部係止用切り込み１４に挿入すると、縁部５ａが、２つ折りにされた用紙本体部２の右展開面２ｃ及び左展開面２ｄに貫通して保持される。
【００５１】
また、第２の端部７を尾部側開口２８から引き出す際に、頭部側開口２７の縁部５ａを胴部係止用切り込み１６に挿入し、縁部５ａを第３の翼１２ｃの内側に位置させる。これにより、第３の翼１２ｃが結び目部５から外側に開いた状態で保持される。また、胴部係止用切り込み１６によって構成される第２の係止部９を介して、第３の翼１２ｃが縁部５ａに係止する。
【００５２】
用紙本体部２を結ぶ際に、頭部側開口２７、尾部側開口２８及び貫通孔２６は保持されるようにする。すなわち、２つ折りにした用紙本体部２を緩やかに曲げながら結び、曲げた箇所に折り目は付けない。よって、結び目部５は厚さ方向に膨らんだ形状となる。
【００５３】
以上の手順により、用紙本体部２の結ばれた状態が完成する。前述のように、メモ用紙１は、支持部である結び目部５の下縁５ｂ及び脚部１１によって、自立させて保持することができる。図２に示すメモ用紙１を底面側からみた図を図７に示す。
【００５４】
脚部切り出し用切り込み１８が形成された結び目部５の下縁５ｂは、用紙本体部２が結ばれたことによって、曲面になっている。したがって、脚部切り出し用切り込み１８によって切り出された脚部１１は、脚部切り出し用切り込み１８の始端２２ａ及び終端２２ｂを起点として結び目部５から離れる方向へ開いている。結び目部５の下縁５ｂには、脚部１１が開いたことによって、用紙本体部２の裏面２ｂが露出している。脚部１１の開き具合については、脚部１１の下縁１１ａの位置を指で移動させることなどによって調整することができる。
【００５５】
図１に示すように、用紙本体部２が結ばれた状態で、頭部を構成する第１の端部６が高さ方向Ｈの上方に、尾部を構成する第２の端部７が下方にくるように、設置面Ｓにメモ用紙１を置く。このとき、脚部１１の下縁１１ａと結び目部５の下縁５ｂが設置面Ｓに接触して、結ばれた状態のメモ用紙１を支持する。これにより、用紙本体部２が結ばれた状態で、メモ用紙１が自立して保持される。
【００５６】
次に第１の実施形態に係るメモ用紙１の利用方法について説明する。利用者は、用紙本体部２を結ぶ前に、用紙本体部２のメモスペース部２４に、メモを記載する。次いで、上記に説明したやり方で、用紙本体部２を結び、各係止部８，９，１０に結び目部５の縁部５ａを係止させる。用紙本体部２が結ばれたメモ用紙１は、自分の机や、メモの内容を伝えたい他人の机などの設置面Ｓに置くことができる。結ばれた状態のメモ用紙１を設置面Ｓに自立させて置くと、設置面Ｓに鳥が留まっているように見える。
【００５７】
メモの内容を見る際には、係止部８，９，１０の係止を解除しながら、すなわち、縁部５ａを各切り込み１４，１５ａ，１５ｂ，１６から引き抜きながら、結ばれた用紙本体部２をほどいて、２つ折りされた用紙本体部２を開く。これにより、用紙本体部２のメモスペース部２４に記入されたメモを見ることができる。
【００５８】
以上のように、本実施形態に係るメモ用紙１においては、用紙本体部２は、メモを記入するためのメモスペース部２４と、装飾用デザインが施されたデザイン部３とを備え、用紙本体部２が結ばれた状態で保持される。これにより、メモ用紙１という事務的なグッズに対して遊び心やデザイン性を付加することができるだけでなく、用紙本体部２が書類等によって埋もれてしまうことを防止することができる。
したがって、第１の実施形態に係るメモ用紙１によれば、利用者に注意を喚起すると共に、紛失しにくくすることができる。
【００５９】
また、用紙本体部２は、結び目部５から外側に突出する第１の端部６と第２の端部７を備え、第１の端部６と第２の端部７には、結び目部５を構成する用紙本体部２の縁部５ａに係止する第１の係止部８と第３の係止部１０が、それぞれ設けられている。
これにより、第１の端部６と第２の端部７が結び目部５から突出した状態をより確実に保持することができ、用紙本体部２を結ばれた状態に保持する力を高めることができる。
【００６０】
前述のように、メモ用紙１には、用紙本体部２が結ばれた状態で設置面Ｓに対して自立して保持されるように、用紙本体部２を支持する支持部（結び目部５の下縁５ｂと、脚部１１）が、結び目部５に設けられている。
これにより、結ばれた状態の用紙本体部２を自立して保持することができる。
【００６１】
第１の実施形態において、メモスペース部２４は、用紙本体部２の一方の主面に設けられ、用紙本体部２は、平面に展開された状態において、長尺状に形成されている。そして、用紙本体部２は、長手方向に延びる中心線Ｃに沿って、メモスペース部２４を内側にして２つ折りされるものであり、２つ折りされた用紙本体部２が結ばれた状態で保持される。
これにより、メモスペース部２４は、外側から見えなくなるため、メモの内容を第３者に見られてしまうことを防止することができる。
【００６２】
用紙本体部２には、尾部係止用切り込み１４と、頭部係止用切り込み１５ａ，１５ｂと、胴部係止用切り込み１６が形成され、用紙本体部２が結ばれたときに、結び目部５を構成する用紙本体部２の縁部５ａが各切り込み１４，１５ａ，１５ｂ，１６に挿入されるように構成されている。
これにより、用紙本体部２が結ばれた状態において、結び目部５と用紙本体部２の他の部分との位置関係を容易に固定することができる。したがって、用紙本体部２を結ばれた状態に保持する力を高めることができる。
【００６３】
頭部係止用切り込み１５ａ，１５ｂと、胴部係止用切り込み１６は、長手方向に延びる中心線Ｃの一方の側（右展開面２ｃ）に形成されている。
これにより、用紙本体部２を中心線Ｃに沿って２つ折りにして結ぶ場合に、切り込み１５ａ，１５ｂ，１６が形成されている面の面方向又は略面方向に縁部５ａを挿入することができる。したがって、用紙本体部２を結ばれた状態に保持する力を高めると共に、結び目部５から切り込みが形成されている面に連続したデザインを施すことができる。よって、用紙本体部２が結ばれたときに、より利用者の注意を喚起する形状を形成することができる。
【００６４】
また、尾部係止用切り込み１４は、長手方向に延びる中心線Ｃを横切って、該中心線Ｃに対して対称に形成されている。
これにより、用紙本体部２を中心線Ｃに沿って２つ折りにして結ぶ場合に、用紙本体部２を貫通する切り込みが、折り曲げ部分の外縁３２から内側に向かって形成されることになる。したがって、縁部５ａを尾部係止用切り込み１４に挿入すると、挿入した縁部５ａが、２つ折りにされた用紙本体部２の両表面（右展開面２ｃ及び左展開面２ｄ）に貫通して保持される。そのため、用紙本体部２を結ばれた状態に保持する力を高めると共に、結ばれた状態において、より立体的な造形性を有することができる。よって、用紙本体部２が結ばれたときに、より利用者の注意を喚起する形状を形成することができる。
【００６５】
用紙本体部２には、頭部係止用切り込み１５ａ，１５ｂに挿入される結び目部５の縁部５ａの位置を示す位置合わせ用マーク２３ａ，２３ｂが付されている。
これにより、用紙本体部２を結ぶ際の位置合わせが容易になる。
【００６６】
前述のように、用紙本体部２は、鳥の形状を模して結ばれた状態に保持されるものであり、鳥の頭部の形状に形成された第１の端部６と鳥の尾の形状に形成された第２の端部７を備えている。そして、用紙本体部２が結ばれた状態において、鳥の翼の形状に切り出された用紙本体部２の一部が、結び目部５から外側へ開いて保持されると共に、第１の端部６と第２の端部７が、結び目部５からそれぞれ突出していている。
このため、メモ用紙１は、用紙本体部２が結ばれた状態において、立体感のある優れたデザイン性を有し、利用者の注意をより喚起することができる。
【００６７】
また、本実施形態では、用紙本体部２が結ばれた状態において、用紙本体部２の一部を切り出した脚部１１が結び目部５から外側へ開いて保持されていている。
そのため、用紙本体部２が結ばれた状態において、デザイン性をより高めることができると共に、結ばれた状態の用紙本体部２を自立させる際に、脚部１１によって、メモ用紙１を支持することができる。さらに、用紙本体部２が結ばれた状態でメモ用紙１を設置面Ｓに自立させて置くことによって、まるで、鳥が設置面Ｓに留まっているように見え、メモ用紙１を美しく印象的に保持しておくことができる。
【００６８】
［第２の実施形態］
図８に第２の実施形態に係るメモ用紙１００を示す。図８には、結ばれた状態におけるメモ用紙１００の正面図を示している。第１の実施形態と同様に、メモ用紙１００は、シート状の用紙本体部１０２を備えている。メモ用紙１００は、用紙本体部１０２が結ばれた状態において、金魚の形状を模している。展開した用紙本体部１０２は、長尺状に形成されていて、表面１０２ａに装飾用デザイン部１０３が設けられ、裏面（不図示）にメモスペース部（不図示）が設けられている。展開した用紙本体部１０２は、第１の実施形態と同様に、長手方向に延びる中心線に対して略対称の形状を有し、複数の切り込みが設けられている。
【００６９】
用紙本体部１０２は、第１の実施形態において説明した結び方と同様のやり方で結ばれ、金魚の胴部を形成する結び目部１０５から、頭部を形成する第１の端部１０６と尾ヒレ部を形成する第２の端部１０７が突出している。第１の係止部１０８は、エラ部１１２ａの形状を切り出す頭部係止用切り込み１１５によって構成されている。頭部係止用切り込み１１５は始端１１９ａから終端１１９ｂまで連続して形成されている。結び目部１０５を構成する用紙本体部１０２の縁部１０５ａがこの頭部係止用切り込み１１５に挿入されることにより、第１の端部１０６が結び目部１０５に係止している。
【００７０】
第２の係止部１１０は、第１の実施形態の尾部係止用切り込み１４と同様の尾部係止用切り込み１１４によって構成されている。結び目部１０５の縁部１０５ａが尾部係止用切り込み１１４に挿入されることによって、第２の端部１０７が結び目部５に係止している。
【００７１】
背ビレ部１１２ｂは、背ビレ部切り出し用切り込み１１６によって形成されている。腹ビレ部１１１は、腹ビレ部切り出し用切り込み１１８によって形成されている。
第２の実施形態に係るメモ用紙１００は、結ばれた状態において、自立させるものではなく、設置面Ｓの面方向Ｘに寝かせて配置するものである。
【００７２】
［第３の実施形態］
図９に第３の実施形態に係るメモ用紙２００を示す。図９には、結ばれた状態におけるメモ用紙２００の正面図を示している。第１の実施形態と同様に、メモ用紙２００は、シート状の用紙本体部２０２を備えている。メモ用紙２００は、用紙本体部２０２が結ばれた状態において、イルカの形状を模している。展開した用紙本体部２０２は、長尺状に形成されていて、表面２０２ａに装飾用デザイン部２０３が設けられ、裏面（不図示）にメモスペース部（不図示）が設けられている。
【００７３】
展開した用紙本体部２０２は、第１の実施形態と同様に、長手方向に延びる中心線に対して略対称の形状を有し、複数の切り込みが設けられている。用紙本体部２０２は、第１の実施形態において説明した結び方と同様のやり方で結ばれ、イルカの胴部を形成する結び目部２０５から、頭部を形成する第１の端部２０６と尾ヒレ部を形成する第２の端部２０７が突出している。第１の係止部２０８は、腹ビレ部２１１の形状を切り出す頭部係止用切り込み２１８によって構成されている。頭部係止用切り込み２１８は始端２１９ａから終端２１９ｂまで連続して形成されている。結び目部２０５を構成する用紙本体部２０２の縁部２０５ａがこの頭部係止用切り込み２１８に挿入されることにより、第１の端部２０６が結び目部２０５に係止している。
【００７４】
第２の係止部２１０は、第１の実施形態の尾部係止用切り込み１４と同様の尾部係止用切り込み２１４によって構成されている。結び目部２０５の縁部２０５ａが尾部係止用切り込み２１４に挿入されることによって、第２の端部２０７が結び目部２０５に係止している。
背ビレ部２１２は、背ビレ部切り出し用切り込み２１６によって形成されている。
【００７５】
第３の実施形態に係るメモ用紙２００では、結び目部２０５の下縁２０５ｂと腹ビレ部２１１の下縁２１１ａが支持部を構成している。メモ用紙２００は、用紙本体部２０２が結ばれた状態において、第２の端部２０７が高さ方向Ｈの上方に、第１の端部２０６が下方に位置するように、設置面Ｓに配置される。このとき、設置面Ｓの面方向Ｘに延びる結び目部２０５の下縁２０５ｂと腹ビレ部２１１の下縁２１１ａがメモ用紙２００を自立させて保持している。
【００７６】
［第４の実施形態］
図１０に第４の実施形態に係るメモ用紙３００を示す。図１０には、結ばれた状態におけるメモ用紙３００の背面図を示している。第１の実施形態と同様に、メモ用紙３００は、シート状の用紙本体部３０２を備えている。メモ用紙３００は、用紙本体部３０２が結ばれた状態において、ウサギの形状を模している。展開した用紙本体部３０２は、長尺状に形成されていて、表面３０２ａに装飾用デザイン部３０３が設けられ、裏面（不図示）にメモスペース部（不図示）が設けられている。
【００７７】
展開した用紙本体部３０２は、第１の実施形態と同様に、長手方向に延びる中心線に対して略対称の形状を有し、複数の切り込みが設けられている。用紙本体部３０２は、第１の実施形態において説明した結び方と同様のやり方で結ばれ、ウサギの胴部を形成する結び目部３０５から、頭部を形成する第１の端部３０６と尾部を形成する第２の端部３０７が突出している。結び目部３０５からは、背面側において２個の脚部３１１が突出している。また、正面側（不図示）にも、背面側と同様に２個の脚部が設けられている。脚部３１１は脚部切り出し用切り込み３１８によって形成されている。前方側の脚部３１１の後縁３１３には、結び目部３０５の縁部３０５ａが接触して係止する。
また、正面側（不図示）には、第１の端部３０６に、切り込みによって構成された第１係止部（不図示）が設けられ、第１の端部３０６を結び目部３０５に係止している。
【００７８】
第２の係止部３１０は、第１の実施形態の尾部係止用切り込み１４と同様の尾部係止用切り込み３１４によって構成されている。結び目部３０５の縁部３０５ａが尾部係止用切り込み３１４に挿入されることによって、第２の端部３０７が結び目部３０５に係止している。
【００７９】
第４の実施形態に係るメモ用紙３００では、正面側及び背面側に形成された脚部３１１が支持部を構成している。メモ用紙３００は、用紙本体部３０２が結ばれた状態において、第１の端部３０６が高さ方向Ｈの上方に、第２の端部３０７が下方に位置するように、設置面Ｓに配置される。このとき、設置面Ｓの面方向Ｘに延びる脚部３１１の下縁３１１ａがメモ用紙３００を自立させて保持している。第４の実施形態において、結び目部３０５の下縁３０５ｂは、設置面Ｓに接触していない。
【００８０】
［他の実施形態］
以上、本考案の実施形態について述べたが、本考案は既述の実施形態に限定されるものではなく、本考案の技術的思想に基づいて各種の変形及び変更が可能である。例えば、前述した実施形態は、メモ用紙に関するものであるがこれに限定されない。一例として、様々なタイプの情報を予め表示した用紙であってもよい。
【００８１】
この場合、本考案に係る用紙は、一例として、シート状の用紙本体部を備え、この用紙本体部は、情報が表示されている表示部と、装飾用デザインが施されたデザイン部とを備え、デザイン部の少なくとも一部が外側に位置するように、用紙本体部が結ばれた状態で保持され、用紙本体部は、結ばれた状態において、結び目を構成する結び目部を備え、結ばれた状態における用紙本体部の形状が、動物、魚、若しくはその他の自然物又は人工物の形状を模したものである。
【００８２】
この用紙は、一例として、第１の実施形態に係るメモ用紙１のメモスペース部２４（図３）を、情報が表示されている表示部に置き換えることによって構成することができる。表示部に表示される情報は、どのように表現されていてもよく、例えば、文字、数字、図形、記号等によって表現されていてもよい。また、表示部に表示される情報は、どのような手段で表示されていてもよく、例えば、手書き又は印刷等によって表示されていてもよい。
【００８３】
一例として、表示部は、予め印刷された特定の運勢を示す文字（例えば、「大吉」等）を表示するものであってもよい。この場合、本考案に係る用紙をおみくじとして使用することができる。
【００８４】
他の例として、表示部は、予め印刷された特定のメッセージ（例えば、「ありがとう」、「お疲れさま」等）を表示するものであってもよい。この場合、本考案に係る用紙を印字済みメッセージカードとして使用することができる。
【００８５】
前述したメモ用紙１，１００，２００，３００には、例えば、一筆箋、便箋、カードと呼称されるものも含まれる。メモ用紙１，１００，２００，３００のメモスペース部２４に記入されるメモは、文字、数字、記号、図形等様々なタイプの表現を含む。記入方法は限定されず、手書きでもよいし、印刷でもよい。メモの内容は、自分の覚書でもよいし、他者へ伝えるメッセージでもよい。
【００８６】
用紙本体部２，１０２，２０２，３０２は、結ばれた状態に保持できれば足り、前述の結び方に限定されず、他の結び方によって結んでもよい。
【００８７】
第１の実施形態では、用紙本体部２が結ばれた状態において、結び目部５から第１及び第２端部６，７が突出するように構成しているが、これに限定されず、結び目部５から第１及び第２の端部６，７が突出しないように構成してもよい。
【００８８】
第１の実施形態では、複数の係止部８，９，１０を設けているが、これに限定されず、係止部８，９，１０を設けなくてもよい。また、第１の実施形態では、係止部８，９，１０を用紙本体部２に形成した切り込み１４，１５ａ，１５ｂ，１６によって構成しているがこれに限定されない。例えば、第１及び第２の端部６，７の外縁に、結び目部５の縁部５ａが引っかかるように構成してもよい。
【００８９】
第１の実施形態において、支持部は、結び目部５の下縁５ｂと、脚部１１によって構成されているがこれに限定されない。例えば、脚部１１を設けずに、正面側胴部の下端２９又は背面側胴部の下端３０（図７）と結び目部５の下縁５ｂによって支持部を構成してもよいし、支持部を設けなくてもよい。
【００９０】
また、切り込みを形成する場合、切り込みの数や位置は前述したものに限定されない。第１の実施形態に係る位置合わせマーク２３ａ，２３ｂは設けても設けなくてもよく、マークを印刷や切り込み等、様々な手段で用紙本体部２に付してもよい。
【００９１】
第１の実施形態において、用紙本体部２の一方の主面（表面２ａ）にデザイン部３を配し、他方の主面（裏面２ｂ）にメモスペース部２４を配しているがこれに限定されない。例えば、用紙本体部２の一方の主面に、デザイン部３とメモスペース部２４を共に設けてもよい。第１の実施形態において、メモスペース部２４は、無地であるが、罫線等を表示してもよい。また、図形や模様でメモスペース部２４を装飾してもよい。
【００９２】
第１の実施形態では、用紙本体部２は、平面に展開された状態において、長尺状に形成されているがこれに限定されず、どのような形状であってもよい。第１の実施形態において、用紙本体部２を結ぶ際に、用紙本体部２を長手方向に延びる中心線Ｃに沿って２つ折りにしているがこれに限定されず、２つ折りせずに用紙本体部２を結んでもよい。
【００９３】
用紙本体部２，１０２，２０２，３０２が結ばれた状態によって表現される形体は、前述したものに限定されない。結ばれた状態における用紙本体部２，１０２，２０２，３０２の形状は、どのような形状であってもよく、動物、魚、若しくはその他の自然物又は人工物の形状を模したものであってもよい。例えば、セキセイインコ、オカメインコ、フクロウ、ヒヨコ、メジロ、スズメ、クジラ、アザラシ、タツノオトシゴ、ラッコ、カンガルー、ネコ、リス、ケーキ、各種スイーツ、おむすび（食品）、椅子、風景、花、蝶、昆虫などの形状を模したものであってもよい。
【符号の説明】
【００９４】
１，１００，２００，３００  メモ用紙
２，１０２，２０２，３０２  用紙本体部
３  デザイン部
５，１０５，２０５，３０５  結び目部
５ａ，１０５ａ，２０５ａ，３０５ａ  結び目部を構成する用紙本体部の縁部
５ｂ  結び目部の下縁（支持部）
６，１０６，２０６，３０６  第１の端部
７，１０７，２０７，３０７  第２の端部
８，１０８，２０８  第１の係止部８
９，１１０，２１０，３１０  第２の係止部
１０  第３の係止部
１１，３１１  脚部（支持部）
１４，１１４，２１４，３１４  尾部係止用切り込み
１５ａ，１５ｂ，１１５，２１８  頭部係止用切り込み
１６  胴部係止用切り込み
２３ａ，２３ｂ  位置合わせ用マーク
２４  メモスペース部
【図１】
0003192850.tif 000003
【図２】
0003192850.tif 000004
【図３】
0003192850.tif 000005
【図４】
0003192850.tif 000006
【図５】
0003192850.tif 000007
【図６】
0003192850.tif 000008
【図７】
0003192850.tif 000009
【図８】
0003192850.tif 000010
【図９】
0003192850.tif 000011
【図１０】
0003192850.tif 000012